(57)【要約】【課題】  異なる種類のガスを供給する複数のガス供給口の周囲に定位置の基準孔と種類別に位置の異なる個別孔を設けて接続アダプターの誤接続を防止したガスアウトレットに対して、ガス供給口から供給されたガスを検査するガス検査器のチューブと各ガス供給口とを接続する際に用いるガス検査用回転式接続アダプターにおいて、複数のガス供給口から供給される医療ガスを検査する時に接続アダプターを差し替えることなく効率的に検査作業できるガス検査用回転式接続アダプターを提供する。【解決手段】  ガス供給口の基準孔へ挿入する固定ピン５とアダプターの一部の回転により位置を変えて個別孔へ挿入する移動ピン３をアダプターに設け、同移動ピン３と固定ピン５との相対位置を変えてガス別の個別孔を選択することで、アダプターを差し替えることなく複数種のガス供給口に接続してガスの検査ができるようにした。【選択図】図１
2006284438.tif 000002
【特許請求の範囲】
【請求項１】
異なる種類のガスを供給する複数のガス供給口の周囲に定位置の基準孔と種類別に位置の異なる個別孔を設けて接続アダプターの誤接続を防止したガスアウトレットに対して、ガス供給口から供給されたガスを検査するガス検査器のガス取込チューブと各ガス供給口とを接続する際に用いるガス検査用回転式接続アダプターであって、ガス取込チューブに接続されるベース部材の流路の他端にガス供給口へ挿入するノズルを取り付け、同ノズル周囲のベース部材位置に個別孔へ挿入する移動ピンを突設し、ノズルとベース部材との間にノズル中心まわりに円弧状の長孔を備えたキャップを回転自在に取り付け、前記移動ピンを長孔から突出させ、同キャップに基準孔へ挿入する固定ピンを突設し、キャップ又はベース部材を回転させることにより移動ピンと固定ピンの相対位置を変えて個別孔への挿入位置が選択できるようにしたことを特徴とする、ガス検査用回転式接続アダプター。
【請求項２】
ベース部材の上面にボールを配設し、キャップの裏面にボールと嵌合する保持凹所を移動ピンがガス別の個別孔に挿入できるようにする位置に複数形成し、ボールと保持凹所とを嵌合させて移動ピンの長孔内の位置を位置決めして保持できるようにした、請求項１記載のガス検査用回転式接続アダプター。
【請求項３】
異なる種類のガスを供給する複数のガス供給口の周囲に定位置の基準孔と種類別に位置の異なる個別孔を設けて接続アダプターの誤接続を防止したガスアウトレットに対して、ガス供給口から供給されたガスを検査するガス検査器のガス取込チューブと各ガス供給口とを接続する際に用いるガス検査用回転式接続アダプターであって、ガス取込チューブに接続されるベース部材の流路の他端にガス供給口へ挿入するノズルを取り付け、同ノズル周囲のベース部材位置に個別孔へ挿入する移動ピンを突設し、ベース部材の外周にリング部材を回転自在に取り付け、同リング部材の上端一部をベース部材上方に折曲し、同折曲部分に基準孔へ挿入する固定ピンを突設し、リング部材又はベース部材を回転させることにより移動ピンと固定ピンの相対位置を変えて個別孔への挿入位置が選択できるようにしたことを特徴とする、ガス検査用回転式接続アダプター。
【請求項４】
ガスが医療施設で治療に用いる酸素・笑気・空気の３種類の医療ガスである、請求項１〜３いずれか記載のガス検査用回転式接続アダプター。
【発明の詳細な説明】
【技術分野】
【０００１】
本発明は、主として医療施設の治療室に設けられたガスアウトレットのガス供給口にガス検査器のガス取込チューブを接続して医療ガスのガス圧・ガス流量・ガス種類の検査をする際に用いられるガス検査用回転式接続アダプターに関する。
【背景技術】
【０００２】
医療施設の治療室の壁面には、治療する際に用いる酸素ガスや笑気ガス，治療用空気等の医療ガスを供給するガス供給口を個別に備えたガスアウトレットが設けられている。各ガス供給口にはホースに備えた接続アダプターと係合するための専用のピン孔が位置を異ならせて形成されており、ホースの誤接続を防止できるようにしている。
【０００３】
ところで、治療室においては治療に必要な圧力及び流量の各医療ガスが常時供給されているかをガス検査器を用いて定期的に検査している。この検査はガス検査器のガス取込チューブを接続アダプターを介してガス供給口と接続して行うが、前述の通り各ガス供給口は専用のピン孔が形成されているから医療ガスの種類毎の接続アダプターを複数準備して差し替える必要があり、検査に時間を要して効率が悪いものであった。
【特許文献１】実用新案登録第３０１３９２６号公報
【発明の開示】
【発明が解決しようとする課題】
【０００４】
本発明が解決しようとする課題は、従来のこれらの問題点を解消し、複数のガス供給口から供給される医療ガスを検査する際に接続アダプターを差し替えることなく１つの接続アダプターでもって効率的に検査作業できるガス検査用回転式接続アダプターを提供することにある。
【課題を解決するための手段】
【０００５】
かかる課題を解決した本発明の構成は、
１）  異なる種類のガスを供給する複数のガス供給口の周囲に定位置の基準孔と種類別に位置の異なる個別孔を設けて接続アダプターの誤接続を防止したガスアウトレットに対して、ガス供給口から供給されたガスを検査するガス検査器のガス取込チューブと各ガス供給口とを接続する際に用いるガス検査用回転式接続アダプターであって、ガス取込チューブに接続されるベース部材の流路の他端にガス供給口へ挿入するノズルを取り付け、同ノズル周囲のベース部材位置に個別孔へ挿入する移動ピンを突設し、ノズルとベース部材との間にノズル中心まわりに円弧状の長孔を備えたキャップを回転自在に取り付け、前記移動ピンを長孔から突出させ、同キャップに基準孔へ挿入する固定ピンを突設し、キャップ又はベース部材を回転させることにより移動ピンと固定ピンの相対位置を変えて個別孔への挿入位置が選択できるようにしたことを特徴とする、ガス検査用回転式接続アダプター
２）  ベース部材の上面にボールを配設し、キャップの裏面にボールと嵌合する保持凹所を移動ピンがガス別の個別孔に挿入できるようにする位置に複数形成し、ボールと保持凹所とを嵌合させて移動ピンの長孔内の位置を位置決めして保持できるようにした、前記１）記載のガス検査用回転式接続アダプター
３）  異なる種類のガスを供給する複数のガス供給口の周囲に定位置の基準孔と種類別に位置の異なる個別孔を設けて接続アダプターの誤接続を防止したガスアウトレットに対して、ガス供給口から供給されたガスを検査するガス検査器のガス取込チューブと各ガス供給口とを接続する際に用いるガス検査用回転式接続アダプターであって、ガス取込チューブに接続されるベース部材の流路の他端にガス供給口へ挿入するノズルを取り付け、同ノズル周囲のベース部材位置に個別孔へ挿入する移動ピンを突設し、ベース部材の外周にリング部材を回転自在に取り付け、同リング部材の上端一部をベース部材上方に折曲し、同折曲部分に基準孔へ挿入する固定ピンを突設し、リング部材又はベース部材を回転させることにより移動ピンと固定ピンの相対位置を変えて個別孔への挿入位置が選択できるようにしたことを特徴とする、ガス検査用回転式接続アダプター
４）  ガスが医療施設で治療に用いる酸素・笑気・空気の３種類の医療ガスである、前記１）〜３）いずれか記載のガス検査用回転式接続アダプター
にある。
【発明の効果】
【０００６】
本発明によれば、キャップ又はベース部材を回転させてキャップの固定ピンとベース部材の移動ピンの相対位置を変更してガス別の個別孔の位置を選択することで、ガス検査器のガス取込チューブを１つのアダプターで複数種のガス供給口に接続してガスの検査ができ、個別にアダプターを準備したり差し替えたりする必要がなく検査の作業効率が向上する。
【発明を実施するための最良の形態】
【０００７】
本発明では、キャップとベース部材との間にノッチ手段等を設けて移動ピンの個別孔への挿入位置を位置決めし易いようにするのが望ましい。以下、本発明の実施例を図面に基づいて具体的に説明する。
【実施例１】
【０００８】
図１〜５に示す実施例は、病院の手術室の壁面に有するガスアウトレットのガス供給口にガス検査器のガス取込チューブを接続してガスの検査を行う際に用いる医療ガス検査用回転式接続アダプターの例である。図１は実施例のガス検査用回転式接続アダプターの説明図、図２は実施例のガス検査用回転式接続アダプターの分解斜視図、図３は実施例のガス検査用回転式接続アダプターの縦断面図、図４は実施例のキャップの裏図面、図５は実施例のガス検査用回転式接続アダプターの使用状態を示す説明図である。
【０００９】
図中、１はガス検査用回転式接続アダプター、２はベース部材、２ａは接続部、２ｂは流路、２ｃはボール受け凹所、２ｄはネジ孔、２ｅはピン取付孔、２ｆはピン孔、３は移動ピン、４はキャップ、４ａは長孔、４ｂは差込孔、４ｃはピン取付孔、４ｄ1〜４ｄ3は保持凹所、５は固定ピン、６はボール、６ａはボール受け、７はシールパッキン、８はノズル、８ａは掛止凹所、９は固定ネジ、１０は抜止ピン、１１はガス取込チューブ、１２はガス検査器、１３はガスアウトレット、１４はガス供給口、１４ａは基準孔、１４ｂは個別孔である。
【００１０】
本実施例のガス検査用回転式接続アダプター１は、図１〜４に示すようにベース部材２のボール受け凹所２ｃにボール６を挿入したボール受け６ａを取り付け、ピン取付孔２ｅに下端がネジ切られた移動ピン３を螺着し、ベース部材２の上面にキャップ４をその長孔４ａに移動ピン３を挿通して突出させて被覆し、キャップ４のピン取付孔４ｃに下端がネジ切られた固定ピン５を螺着し、キャップ４の差込孔４ｂにガス供給口１４に接続するノズル８をシールパッキン７を介してベース部材２の流路２ｂまで挿入してキャップ４を回転自在に取り付け、ベース部材２のネジ孔２ｄに固定ネジ９を螺挿してノズル８の掛止凹所８ａに掛止し、ベース部材２のピン孔２ｆに抜止ピン１０を挿入して固定ネジ９を押し付けている。
【００１１】
このガス検査用回転式接続アダプター１をガス検査器１２のガス取込チューブ１１にベース部材２の接続部２ａを接続して用いられる。このガス検査用回転式接続アダプター１の使用方法を図５に基づいて説明する。手術室の壁面には酸素ガス，笑気ガス，治療用空気を供給するガス供給口１４を有するガスアウトレット１３が備えられており、各ガス供給口１４の周囲には基準孔１４ａがそれぞれ同一の位置に形成され、医療ガスの種類を示す個別孔１４ｂがそれぞれ異なる本数で且つ異なる位置に形成されている。
【００１２】
ガス検査用回転式接続アダプター１は、例えば酸素ガスを検査する場合は個別孔１４ｂはガス供給口１４の直下にあるから、移動ピン３が長孔４ａの中央に来るようにキャップ４又はベース部材２を回す。このときキャップ４の保持凹所４ｄ2がボール６と嵌合して決めた位置が保持される。この状態でガス検査用回転式接続アダプター１のノズル８をガス供給口１４に挿入して固定ピン５を基準孔１４ａへ、移動ピン３を個別孔１４ｂへ嵌合させて接続し、医療ガスの検査が行なわれる。
【００１３】
笑気ガスを検査する場合は、移動ピン３が長孔４ａの右側に来るようにキャップ４又はベース部材２を回して保持凹所４ｄ1とボール６を嵌合して位置を保持し、ガス供給口１４に接続して検査する。治療用空気を検査する場合は、２箇所の個別孔１４ｂのうち１箇所が笑気ガスと同じ位置で且つ他方の個別孔１４ｂが対向する位置に形成されており、移動ピン３は位置を変更することなくそのまま接続して検査できる。このように、個別孔１４ｂの位置がガス検査用回転式接続アダプター１の長孔４ａの範囲内である限り、ガス別にアダプターを差し替える手間を省略でき、効率良く検査作業が行えるようになる。
【００１４】
図６，７に示すのは実施例の他の例である。図６は実施例の他の例のガス検査用回転式接続アダプターの説明図、図７は実施例の他の例のガス検査用回転式接続アダプターの縦断面図である。図中、１５はリング部材、１５ａはピン取付孔、１５ｂは補助部材である。図６に示す実施例の他の例は、キャップ４に代えてリング部材１５を用いている。リング部材１５をベース部材２の外周に配置して下方から補助部材１５ｂで回転自在に固定している。同リング部材１５の上端一部はベース部材２上方に折曲してピン取付孔１５ａを形成し、同ピン取付孔１５ａに固定ピン５を突設している。リング部材１５又はベース部材２を回転させると、移動ピン３はリング部材１５の開放された部分で移動し、移動ピン３の個別孔１４ｂへの挿入位置が選択される。その他、符号、構成、使用方法は実施例と同じである。
【産業上の利用可能性】
【００１５】
本発明のガス検査用回転式接続アダプターは、主として医療施設の治療室に供給される医療ガスの検査時に利用されるが、その他ガスの種類を特定するためのピン孔を有するガス供給口に接続して様々なガスの検査を行う作業に幅広く応用される。
【図面の簡単な説明】
【００１６】
【図１】実施例のガス検査用回転式接続アダプターの説明図である。
【図２】実施例のガス検査用回転式接続アダプターの分解斜視図である。
【図３】実施例のガス検査用回転式接続アダプターの縦断面図である。
【図４】実施例のキャップの裏面図である。
【図５】実施例のガス検査用回転式接続アダプターの使用状態を示す説明図である。
【図６】実施例の他の例のガス検査用回転式接続アダプターの説明図である。
【図７】実施例の他の例のガス検査用回転式接続アダプターの縦断面図である。
【符号の説明】
【００１７】
１  ガス検査用回転式接続アダプター
２  ベース部材
２ａ  接続部
２ｂ  流路
２ｃ  ボール受け凹所
２ｄ  ネジ孔
２ｅ  ピン取付孔
２ｆ  ピン孔
３  移動ピン
４  キャップ
４ａ  長孔
４ｂ  差込孔
４ｃ  ピン取付孔
４ｄ1〜４ｄ3  保持凹所
５  固定ピン
６  ボール
６ａ  ボール受け
７  シールパッキン
８  ノズル
８ａ  掛止凹所
９  固定ネジ
１０  抜止ピン
１１  チューブ
１２  ガス検査器
１３  ガスアウトレット
１４  ガス供給口
１４ａ  基準孔
１４ｂ  個別孔
１５  リング部材
１５ａ  ピン取付孔
１５ｂ  補助部材
【図１】
2006284438.tif 000003
【図２】
2006284438.tif 000004
【図３】
2006284438.tif 000005
【図４】
2006284438.tif 000006
【図５】
2006284438.tif 000007
【図６】
2006284438.tif 000008
【図７】
2006284438.tif 000009